(57)【要約】【課題】非接触型ＩＣタグを利用し、利用者ごとに対応した情報を提供することが可能な非接触型ＩＣタグを利用した情報提供システム、およびこれに用いる情報提供サーバ、情報提供方法、情報提供用プログラムを提供する。【解決手段】情報提供サーバ１０は、携帯端末３０に携帯型ライター端末２０がかざされたことにより携帯端末３０で取得されたライターＩＤが自装置に登録されていないときには会員登録用のページ情報を表示情報として携帯端末３０に送信し、取得したライターＩＤが登録されており携帯端末３０から取得した携帯端末ＩＤと同一のＩＤが登録されているときには対応する登録ユーザの登録情報を表示情報として携帯端末３０に送信し、取得したライターＩＤが登録されており携帯端末３０から取得した携帯端末ＩＤと同一のＩＤが登録されていないときには対応する一般ユーザ提供用画面情報を表示情報として携帯端末３０に送信する。【選択図】図１
2012032916.tif 000002
【特許請求の範囲】
【請求項１】
情報提供サーバと、非接触ＩＣタグを有する携帯端末と、この携帯端末と通信可能な携帯型ライター端末とを含む情報提供システムにおいて、
前記携帯型ライター端末は、
前記情報提供サーバにアクセスするためのアドレス情報を保持し、非接触ＩＣタグを有する携帯端末にかざされることにより、前記情報提供サーバにアクセスするためのアドレス情報および自端末の識別情報であるライターＩＤを前記携帯端末に送信する送信部
を有し、
前記携帯端末は、
前記携帯型ライター端末から送信されたアドレス情報に基づいて前記情報提供サーバにアクセスし、取得した前記ライターＩＤおよび自端末の識別情報である携帯端末ＩＤを前記情報提供サーバに送信する非接触ＩＣ機能部と、
前記情報提供サーバから送信される表示情報を出力する出力部と
を有し、
前記情報提供サーバは、
予め登録されたライターＩＤごとの、当該携帯型ライター端末の保持者である登録ユーザが携帯する携帯端末の識別情報である携帯端末ＩＤと、当該登録ユーザに関する登録情報と、この登録情報が利用されて構成された一般ユーザ提供用画面情報とを記憶する記憶部と、
前記携帯端末から前記ライターＩＤおよび前記携帯端末ＩＤを取得すると、このライターＩＤが前記記憶部に記憶されているか否かを判定し、前記ライターＩＤが記憶されているときには対応する携帯端末ＩＤを前記記憶部から取得し、さらに前記携帯端末から取得した携帯端末ＩＤと、前記記憶部から取得した携帯端末ＩＤとが同一であるか否かを判定するライター認証部と、
前記ライター認証部において前記携帯端末から取得したライターＩＤが前記記憶部に記憶されていないと判定されたときには、予め記憶している会員登録用のページ情報を表示情報として前記携帯端末に送信し、
前記ライター認証部において、前記携帯端末から取得したライターＩＤが前記記憶部に記憶されており、前記携帯端末から取得した携帯端末ＩＤと前記記憶部から取得した携帯端末ＩＤとが同一であると判定されたときには、対応する前記登録ユーザの登録情報を前記記憶部から取得して表示情報として前記携帯端末に送信し、
前記ライター認証部において、前記携帯端末から取得したライターＩＤが前記記憶部に記憶されており、前記携帯端末から取得した携帯端末ＩＤと前記記憶部から取得した携帯端末ＩＤとが同一ではないと判定されたときには、対応する前記一般ユーザ提供用画面情報を前記記憶部から取得して表示情報として前記携帯端末に送信する表示情報送信部と
を備えることを特徴とする非接触型ＩＣタグを利用した情報提供システム。
【請求項２】
非接触ＩＣタグを用いて携帯型ライター端末と通信可能な携帯端末に接続された情報提供サーバにおいて、
予め登録された前記携帯型ライター端末の識別情報であるライターＩＤごとの、当該携帯型ライター端末の保持者である登録ユーザが携帯する携帯端末の識別情報である携帯端末ＩＤと、当該登録ユーザに関する登録情報と、この登録情報が利用されて構成された一般ユーザ提供用画面情報とを記憶する記憶部と、
前記携帯端末に前記携帯型ライター端末がかざされたことにより前記携帯端末で取得されたライターＩＤと、当該携帯端末３０の携帯端末ＩＤとを前記携帯端末から取得すると、このライターＩＤが前記記憶部に記憶されているか否かを判定し、前記ライターＩＤが記憶されているときには対応する携帯端末ＩＤを前記記憶部から取得し、さらに前記携帯端末から取得した携帯端末ＩＤと、前記記憶部から取得した携帯端末ＩＤとが同一であるか否かを判定するライター認証部と、
前記ライター認証部において前記携帯端末から取得したライターＩＤが前記記憶部に記憶されていないと判定されたときには、予め記憶している会員登録用のページ情報を表示情報として前記携帯端末に送信し、
前記ライター認証部において、前記携帯端末から取得したライターＩＤが前記記憶部に記憶されており、前記携帯端末から取得した携帯端末ＩＤと前記記憶部から取得した携帯端末ＩＤとが同一であると判定されたときには、対応する前記登録ユーザの登録情報を前記記憶部から取得して表示情報として前記携帯端末に送信し、
前記ライター認証部において、前記携帯端末から取得したライターＩＤが前記記憶部に記憶されており、前記携帯端末から取得した携帯端末ＩＤと前記記憶部から取得した携帯端末ＩＤとが同一ではないと判定されたときには、対応する前記一般ユーザ提供用画面情報を前記記憶部から取得して表示情報として前記携帯端末に送信する表示情報送信部と
を備えることを特徴とする情報提供サーバ。
【請求項３】
前記登録ユーザに関する登録情報は、当該ユーザのプロフィール情報、画像情報、前記一般ユーザ提供用画面情報を生成するための表示用テンプレート情報およびフォント情報の少なくともいずれかを含む
ことを特徴とする請求項２に記載の情報提供サーバ。
【請求項４】
前記記憶部に記憶される登録ユーザに関する登録情報は、表示情報送信部から送信された会員登録用のページ情報に基づいて前記携帯端末から入力された情報である
ことを特徴とする請求項２または３に記載の情報提供サーバ。
【請求項５】
非接触ＩＣタグを用いて携帯型ライター端末と通信可能な携帯端末に接続された情報提供サーバが、
予め登録された前記携帯型ライター端末の識別情報であるライターＩＤごとの、当該携帯型ライター端末の保持者である登録ユーザが携帯する携帯端末の識別情報である携帯端末ＩＤと、当該登録ユーザに関する登録情報と、この登録情報が利用されて構成された一般ユーザ提供用画面情報とを自装置の記憶部に記憶する記憶ステップと、
前記携帯端末に前記携帯型ライター端末がかざされたことにより前記携帯端末で取得されたライターＩＤと、当該携帯端末３０の携帯端末ＩＤとを前記携帯端末から取得すると、このライターＩＤが前記記憶部に記憶されているか否かを判定し、前記ライターＩＤが記憶されているときには対応する携帯端末ＩＤを前記記憶部から取得し、さらに前記携帯端末から取得した携帯端末ＩＤと、前記記憶部から取得した携帯端末ＩＤとが同一であるか否かを判定するライター認証ステップと、
前記ライター認証ステップにおいて前記携帯端末から取得したライターＩＤが前記記憶部に記憶されていないと判定されたときには、予め記憶している会員登録用のページ情報を表示情報として前記携帯端末に送信し、
前記ライター認証ステップにおいて、前記携帯端末から取得したライターＩＤが前記記憶部に記憶されており、前記携帯端末から取得した携帯端末ＩＤと前記記憶部から取得した携帯端末ＩＤとが同一であると判定されたときには、対応する前記登録ユーザの登録情報を前記記憶部から取得して表示情報として前記携帯端末に送信し、
前記ライター認証ステップにおいて、前記携帯端末から取得したライターＩＤが前記記憶部に記憶されており、前記携帯端末から取得した携帯端末ＩＤと前記記憶部から取得した携帯端末ＩＤとが同一ではないと判定されたときには、対応する前記一般ユーザ提供用画面情報を前記記憶部から取得して表示情報として前記携帯端末に送信する表示情報送信ステップと
を有することを特徴とする情報提供方法。
【請求項６】
非接触ＩＣタグを用いて携帯型ライター端末と通信可能な携帯端末に接続された情報提供サーバに、
予め登録された前記携帯型ライター端末の識別情報であるライターＩＤごとの、当該携帯型ライター端末の保持者である登録ユーザが携帯する携帯端末の識別情報である携帯端末ＩＤと、当該登録ユーザに関する登録情報と、この登録情報が利用されて構成された一般ユーザ提供用画面情報とを自装置の記憶部に記憶させる記憶機能と、
前記携帯端末に前記携帯型ライター端末がかざされたことにより前記携帯端末で取得されたライターＩＤと、当該携帯端末３０の携帯端末ＩＤとを前記携帯端末から取得すると、このライターＩＤが前記記憶部に記憶されているか否かを判定し、前記ライターＩＤが記憶されているときには対応する携帯端末ＩＤを前記記憶部から取得し、さらに前記携帯端末から取得した携帯端末ＩＤと、前記記憶部から取得した携帯端末ＩＤとが同一であるか否かを判定するライター認証機能と、
前記ライター認証機能において前記携帯端末から取得したライターＩＤが前記記憶部に記憶されていないと判定されたときには、予め記憶している会員登録用のページ情報を表示情報として前記携帯端末に送信し、
前記ライター認証機能において、前記携帯端末から取得したライターＩＤが前記記憶部に記憶されており、前記携帯端末から取得した携帯端末ＩＤと前記記憶部から取得した携帯端末ＩＤとが同一であると判定されたときには、対応する前記登録ユーザの登録情報を前記記憶部から取得して表示情報として前記携帯端末に送信し、
前記ライター認証機能において、前記携帯端末から取得したライターＩＤが前記記憶部に記憶されており、前記携帯端末から取得した携帯端末ＩＤと前記記憶部から取得した携帯端末ＩＤとが同一ではないと判定されたときには、対応する前記一般ユーザ提供用画面情報を前記記憶部から取得して表示情報として前記携帯端末に送信する表示情報送信機能と
を実行させる情報提供用プログラム。
【発明の詳細な説明】
【技術分野】
【０００１】
本発明は、非接触型ＩＣタグを利用して、利用者の携帯端末に情報を提供する情報提供システムおよびこれに用いる情報提供サーバ、情報提供方法、情報提供用プログラムに関する。
【背景技術】
【０００２】
近年、非接触型ＩＣタグの技術を利用し、ユーザの携帯端末に店舗情報やクーポン情報、周辺情報等を提供するシステムが普及してきている。このようなシステムの一例として、例えば特許文献１に記載された情報提供システムがある。
【０００３】
特許文献１に記載の情報提供システムは、駅出口の周辺に関する情報資源をＷｅｂ情報として予め記憶するシステムと、駅出口などに設置され、該周辺情報資源のＵＲＬ情報を送信可能な状態で保持する駅設置リーダライタ端末とが連携されて構成されている。
【０００４】
そして、駅設置リーダライタ端末にユーザの携帯端末がかざされると、駅設置リーダライタ端末に保持されている周辺情報資源のＵＲＬ情報が携帯端末に送信され、これにより携帯端末からインターネット通信網を介して当該ＵＲＬにアクセスされて周辺情報資源が提供される。
【先行技術文献】
【特許文献】
【０００５】
【特許文献１】特開２０１０−１２３００６号公報
【発明の概要】
【発明が解決しようとする課題】
【０００６】
上述したような情報提供システムは、一般ユーザだけでなくシステム管理者も利用するものであるが、リーダライタ端末に携帯端末をかざすことで取得できるＷｅｂ情報は一律に提供される駅周辺情報のみであり、管理者がリーダライタ端末の登録処理やＷｅｂ情報の更新処理を行う際には別途認証処理等を行うことによりログイン操作をする必要があった。
【０００７】
よって本発明の目的は、非接触型ＩＣタグを利用し、利用者ごとに対応した情報を提供することが可能な非接触型ＩＣタグを利用した情報提供システム、およびこれに用いる情報提供サーバ、情報提供方法、情報提供用プログラムを提供することである。
【課題を解決するための手段】
【０００８】
上記目的を達成するための本発明の情報提供システムは、情報提供サーバと、非接触ＩＣタグを有する携帯端末と、この携帯端末と通信可能な携帯型ライター端末とを含む情報提供システムにおいて、前記携帯型ライター端末は、前記情報提供サーバにアクセスするためのアドレス情報を保持し、非接触ＩＣタグを有する携帯端末にかざされることにより、前記情報提供サーバにアクセスするためのアドレス情報および自端末の識別情報であるライターＩＤを前記携帯端末に送信する送信部を有し、前記携帯端末は、前記携帯型ライター端末から送信されたアドレス情報に基づいて前記情報提供サーバにアクセスし、取得した前記ライターＩＤおよび自端末の識別情報である携帯端末ＩＤを前記情報提供サーバに送信する非接触ＩＣ機能部と、前記情報提供サーバから送信される表示情報を出力する出力部とを有し、前記情報提供サーバは、予め登録されたライターＩＤごとの、当該携帯型ライター端末の保持者である登録ユーザが携帯する携帯端末の識別情報である携帯端末ＩＤと、当該登録ユーザに関する登録情報と、この登録情報が利用されて構成された一般ユーザ提供用画面情報とを記憶する記憶部と、前記携帯端末から前記ライターＩＤおよび前記携帯端末ＩＤを取得すると、このライターＩＤが前記記憶部に記憶されているか否かを判定し、前記ライターＩＤが記憶されているときには対応する携帯端末ＩＤを前記記憶部から取得し、さらに前記携帯端末から取得した携帯端末ＩＤと、前記記憶部から取得した携帯端末ＩＤとが同一であるか否かを判定するライター認証部と、前記ライター認証部において前記携帯端末から取得したライターＩＤが前記記憶部に記憶されていないと判定されたときには、予め記憶している会員登録用のページ情報を表示情報として前記携帯端末に送信し、前記ライター認証部において、前記携帯端末から取得したライターＩＤが前記記憶部に記憶されており、前記携帯端末から取得した携帯端末ＩＤと前記記憶部から取得した携帯端末ＩＤとが同一であると判定されたときには、対応する前記登録ユーザの登録情報を前記記憶部から取得して表示情報として前記携帯端末に送信し、前記ライター認証部において、前記携帯端末から取得したライターＩＤが前記記憶部に記憶されており、前記携帯端末から取得した携帯端末ＩＤと前記記憶部から取得した携帯端末ＩＤとが同一ではないと判定されたときには、対応する前記一般ユーザ提供用画面情報を前記記憶部から取得して表示情報として前記携帯端末に送信する表示情報送信部とを備えることを特徴とする。
【発明の効果】
【０００９】
よって本発明の非接触型ＩＣタグを利用した情報提供システム、およびこれに用いる情報提供サーバ、情報提供方法、情報提供用プログラムによれば、非接触型ＩＣタグを利用し、利用者ごとに対応した情報を提供することができる。
【図面の簡単な説明】
【００１０】
【図１】本発明の一実施形態による情報提供システムの構成を示すブロック図である。
【図２】本発明の一実施形態による情報提供システムに記憶されるライターＤＢの一例を示す説明図である。
【図３】本発明の一実施形態による情報提供システムの情報提供サーバの動作を示すフローチャートである。
【発明を実施するための形態】
【００１１】
〈一実施形態による情報提供システムの構成〉
本発明の一実施形態による非接触型ＩＣタグを利用した情報提供システムの構成について、図１を参照して説明する。
【００１２】
本実施形態による情報提供システム１は、情報提供サーバ１０と、携帯型ライター端末２０と、携帯端末３０とを含む。図１においては説明を簡略化するため、携帯型ライター端末２０および携帯端末３０がそれぞれ１台の場合を示しているが、実際には情報提供システム１内にはユーザごとに所持される複数の携帯型ライター端末２０および携帯端末３０がそれぞれ存在する。
【００１３】
情報提供サーバ１０は、ライターＤＢ記憶部１１と、登録情報記憶部１２と、ライター認証部１３と、表示情報送信部１４と、情報登録部１５とを有する。
【００１４】
ライターＤＢ記憶部１１は、予め登録された携帯型ライター端末２０の識別情報であるライターＩＤごとの、当該登録された携帯型ライター端末２０の保持者である登録ユーザの携帯端末３０の識別情報である携帯端末ＩＤと、当該登録ユーザに関する登録情報の記憶場所を示すＵＲＬ情報である登録ＵＲＬ情報と、この登録情報が利用されて構成された情報であり、当該登録ユーザ以外の一般ユーザ（例えばこの登録ユーザから紹介されたユーザ）の携帯端末３０に提供する一般ユーザ提供用画面情報の記憶場所を示すＵＲＬ情報であるリダイレクトＵＲＬ情報とを格納するライターＤＢを記憶する。
【００１５】
ライターＤＢ記憶部１１に記憶されたライターＤＢの一例を、図２に示す。図２においては、例えばライターＩＤ「100001」に対応して、携帯端末ＩＤ「aaa」、登録ＵＲＬ情報「http://crx.jp/?uid=abcdefg」、リダイレクトＵＲＬ情報「http://redirect.com/10001」が格納されていることが示されている。
【００１６】
登録情報記憶部１２は、登録ユーザの登録情報を記憶するとともに、この登録情報が利用されて構成された一般ユーザ提供用画面情報を記憶する。
【００１７】
ライター認証部１３は、いずれかの携帯端末３０においていずれかの携帯型ライター端末２０から取得されたライターＩＤと、当該携帯端末３０の携帯端末ＩＤとを取得すると、このライターＩＤがライターＤＢ記憶部１１に記憶されているか否かを判定し、ライターＩＤが記憶されているときには対応する携帯端末ＩＤをライターＤＢ記憶部１１から取得する。そして、携帯端末３０から取得した携帯端末ＩＤと、ライターＤＢ記憶部１１から取得した携帯端末ＩＤとが同一であるか否かを判定し、同一であるときには対応する登録ＵＲＬ情報をライターＤＢ記憶部１１から取得し、同一でないときには対応するリダイレクトＵＲＬ情報をライターＤＢ記憶部１１から取得する。
【００１８】
表示情報送信部１４は、ライター認証部１３において、携帯端末３０から取得したライターＩＤがライターＤＢ記憶部１１に記憶されていないと判定されたときには、予め記憶している会員登録用のページ情報を表示情報として携帯端末３０に送信する。
【００１９】
また表示情報送信部１４は、ライター認証部１３において、携帯端末３０から取得したライターＩＤがライターＤＢ記憶部１１に記憶されており、携帯端末３０から取得した携帯端末ＩＤとライターＤＢ記憶部１１から取得した携帯端末ＩＤとが同一であると判定されたときには、登録情報記憶部１２の該当登録ＵＲＬに記憶されている登録ユーザの登録情報を表示情報として携帯端末３０に送信する。
【００２０】
また表示情報送信部１４は、ライター認証部１３において、携帯端末３０から取得したライターＩＤがライターＤＢ記憶部１１に記憶されており、携帯端末３０から取得した携帯端末ＩＤとライターＤＢ記憶部１１から取得した携帯端末ＩＤとが同一ではないと判定されたときには、登録情報記憶部１２の該当リダイレクトＵＲＬに記憶されている一般ユーザ提供用画面情報を表示情報として携帯端末３０に送信する。
【００２１】
情報登録部１５は、表示情報送信部１４から会員登録用のページ情報が表示情報として携帯端末３０に送信されたことにより携帯端末３０において入力された登録情報を取得して登録情報記憶部１２に記憶させ、この登録情報の記憶場所を示すＵＲＬ情報を対応するライターＩＤおよび携帯端末ＩＤとともにライターＤＢ記憶部１１に記憶させることで、当該携帯型ライター端末２０に関する情報を登録する。
【００２２】
携帯型ライター端末２０は、登録ユーザにより保持され、情報提供サーバ１０にアクセスするためのアドレス情報を保持し、非接触ＩＣタグを有する携帯端末３０にかざすことにより電磁誘導で電力を供給して当該携帯端末３０との通信を行い、自端末の識別情報であるライターＩＤおよび予め保持した情報提供サーバ１０にアクセスするためのＵＲＬ情報を当該携帯端末３０に送信する。
【００２３】
携帯端末３０は、非接触ＩＣ機能部３１と、入出力部３２とを有する。
【００２４】
非接触ＩＣ機能部３１は、非接触ＩＣタグを有し、当該携帯端末３０にかざされた携帯型ライター端末２０との通信によりライターＩＤおよび情報提供サーバ１０にアクセスするためのＵＲＬ情報を取得すると、このＵＲＬ情報に基づいて情報提供サーバ１０にアクセスし、取得されたライターＩＤとともに自携帯端末３０の携帯端末ＩＤを送信する。
【００２５】
入出力部３２は、情報提供サーバ１０から送信された表示情報を取得して表示する。また、ユーザの操作により登録情報等を入力し、また更新する。
【００２６】
〈一実施形態による情報提供システムの動作〉
次に、本実施形態による情報提供システム１において、（１）新規に携帯型ライター端末２０を登録する場合、（２）登録された携帯型ライター端末２０を、保持者の携帯端末に利用する場合、（３）登録された携帯型ライター端末２０を、一般ユーザの携帯端末に利用する場合の動作について、図３のフローチャートを参照して説明する。図３は、（１）〜（３）の動作が行われる場合の、情報提供サーバ１０の処理を示す。
【００２７】
（１）新規に携帯型ライター端末２０を登録する場合
まず、特定の保持者により保持される携帯型ライター端末２０が、非接触ＩＣタグを有する当該保持者の携帯端末３０にかざされると、電磁誘導で電力が供給されて当該携帯端末３０との通信が可能な状態になり、当該携帯型ライター端末２０の識別情報であるライターＩＤおよび予め保持した情報提供サーバ１０にアクセスするためのＵＲＬ情報が当該携帯端末３０に送信される。
【００２８】
携帯端末３０では、携帯型ライター端末２０から送信されたライターＩＤおよび情報提供サーバ１０にアクセスするためのＵＲＬ情報が非接触ＩＣ機能部３１で取得され、このＵＲＬ情報に基づいて情報提供サーバ１０にアクセスされ、取得されたライターＩＤが、自携帯端末３０の携帯端末ＩＤとともに情報提供サーバ１０に送信される。
【００２９】
情報提供サーバ１０では、携帯端末３０から送信された携帯型ライター端末２０のライターＩＤおよび携帯端末ＩＤがライター認証部１３において取得され（Ｓ１）、このライターＩＤがライターＤＢ記憶部１１に記憶されているか否かが判定される（Ｓ２）。
【００３０】
ここで、携帯端末３０から取得されたライターＩＤは登録されていないためライターＤＢ記憶部１１に記憶されておらず、当該携帯型ライター端末２０の保持者が登録ユーザとして情報提供サーバ１０に登録されていないため（Ｓ２の「NO」）、表示情報送信部１４に予め記憶されている会員登録用のページ情報が、表示情報として携帯端末３０に送信される（Ｓ３）。
【００３１】
携帯端末３０では、情報提供サーバ１０から表示情報として送信された会員登録用のページが入出力部３２に表示され、この表示情報に従って保持者のプロフィール情報、画像情報、表示用テンプレート情報、フォント情報等の登録情報が入力されて情報提供サーバ１０に送信される。
【００３２】
情報提供サーバ１０では、携帯端末３０から送信された登録情報が情報登録部１５で取得され、登録情報記憶部１２に記憶される。また情報登録部１５において、この登録情報に基づいて構成された一般ユーザ提供用画面情報が生成され、登録情報記憶部１２に記憶される。さらにこの登録情報の記憶場所を示す登録ＵＲＬ情報および一般ユーザ提供用画面情報の記憶場所を示すリダイレクトＵＲＬ情報を、対応するライターＩＤおよび携帯端末ＩＤとともにライターＤＢ記憶部１１に記憶させることで、当該携帯型ライター端末２０に関する情報が情報提供サーバ１０に登録される（Ｓ４）。
【００３３】
以上の処理により、新規に携帯型ライター端末２０を購入した際に、この携帯型ライター端末２０を保持者自身の携帯端末３０にかざす操作のみで、当該情報提供システムを利用するための会員登録ページ情報を携帯端末３０で取得し登録する操作を簡易に行うことができる。
【００３４】
（２）登録された携帯型ライター端末２０を、保持者の携帯端末に利用する場合
次に、（１）に示す処理で登録された携帯型ライター端末２０が、非接触ＩＣタグを有する当該携帯型ライター端末２０の保持者の携帯端末３０にかざされると、当該携帯型ライター端末２０の識別情報であるライターＩＤおよび予め保持した情報提供サーバ１０にアクセスするためのＵＲＬ情報が当該携帯端末３０に送信される。
【００３５】
携帯端末３０では、携帯型ライター端末２０から送信されたライターＩＤおよび情報提供サーバ１０にアクセスするためのＵＲＬ情報が非接触ＩＣ機能部３１で取得され、このＵＲＬ情報に基づいて情報提供サーバ１０にアクセスされ、取得されたライターＩＤが、自携帯端末３０の携帯端末ＩＤとともに情報提供サーバ１０に送信される。
【００３６】
情報提供サーバ１０では、携帯端末３０から送信された携帯型ライター端末２０のライターＩＤおよび携帯端末ＩＤがライター認証部１３において取得され（Ｓ１）、このライターＩＤがライターＤＢ記憶部１１に記憶されているか否かが判定される（Ｓ２）。
【００３７】
ここで、携帯端末３０から取得されたライターＩＤは登録されているため（Ｓ２の「YES」）、対応する携帯端末ＩＤがライターＤＢ記憶部１１から取得される（Ｓ５）。そして、携帯端末３０から取得した携帯端末ＩＤと、ライターＤＢ記憶部１１から取得した携帯端末ＩＤとが同一であるか否かが判定される（Ｓ６）。
【００３８】
判定の結果、ここでは携帯型ライター端末２０および携帯端末３０の保持者により利用されているため、携帯端末３０から取得した携帯端末ＩＤとライターＤＢ記憶部１１から取得した携帯端末ＩＤとが同一であると判定され（Ｓ６の「YES」）、対応する登録ＵＲＬ情報がライターＤＢ記憶部１１から取得される（Ｓ７）。そして、取得された登録ＵＲＬ情報に記憶されている登録ユーザの登録情報が表示情報送信部１４により登録情報記憶部１２から取得され、表示情報として携帯端末３０に送信される（Ｓ８）。
【００３９】
携帯端末３０では、情報提供サーバ１０から表示情報として送信された、登録ユーザに関する登録情報が表示され更新可能な状態になる。
【００４０】
以上の処理により、携帯型ライター端末２０を、保持者自身の携帯端末３０にかざす操作のみで登録情報記憶部１２内の当該登録ユーザの登録情報にアクセスされ、携帯端末３０において登録情報の更新、例えばプロフィール情報の変更、画像情報の変更、一般ユーザ提供用画面情報を生成するための表示用テンプレート情報やフォント情報の変更等を行うことが可能になる。
【００４１】
（３）登録された携帯型ライター端末２０を、一般ユーザの携帯端末に利用する場合
次に、（１）に示す処理で登録された携帯型ライター端末２０が、非接触ＩＣタグを有する当該携帯型ライター端末２０の保持者以外の一般ユーザの携帯端末３０にかざされると、当該携帯型ライター端末２０の識別情報であるライターＩＤおよび予め保持した情報提供サーバ１０にアクセスするためのＵＲＬ情報が当該携帯端末３０に送信される。
【００４２】
携帯端末３０では、携帯型ライター端末２０から送信されたライターＩＤおよび情報提供サーバ１０にアクセスするためのＵＲＬ情報が非接触ＩＣ機能部３１で取得され、このＵＲＬ情報に基づいて情報提供サーバ１０にアクセスされ、取得されたライターＩＤが、自携帯端末３０の携帯端末ＩＤとともに情報提供サーバ１０に送信される。
【００４３】
情報提供サーバ１０では、携帯端末３０から送信された携帯型ライター端末２０のライターＩＤおよび携帯端末ＩＤがライター認証部１３において取得され（Ｓ１）、このライターＩＤがライターＤＢ記憶部１１に記憶されているか否かが判定される（Ｓ２）。
【００４４】
ここで、携帯端末３０から取得されたライターＩＤは登録されているため（Ｓ２の「YES」）、対応する携帯端末ＩＤがライターＤＢ記憶部１１から取得される（Ｓ５）。そして、携帯端末３０から取得した携帯端末ＩＤと、ライターＤＢ記憶部１１から取得した携帯端末ＩＤとが同一であるか否かが判定される（Ｓ６）。
【００４５】
判定の結果、ここでは携帯型ライター端末２０および携帯端末３０の保持者以外の一般ユーザにより利用されているため、携帯端末３０から取得した携帯端末ＩＤとライターＤＢ記憶部１１から取得した携帯端末ＩＤとが同一ではないと判定され（Ｓ６の「NO」）、対応するリダイレクトＵＲＬ情報がライターＤＢ記憶部１１から取得される（Ｓ９）。そして、取得されたリダイレクトＵＲＬ情報に記憶されている一般ユーザ提供用画面情報が表示情報送信部１４により登録情報記憶部１２から取得され、表示情報として携帯端末３０に送信される（Ｓ１０）。
【００４６】
以上の処理により、携帯型ライター端末２０を、一般ユーザの携帯端末３０にかざす操作のみで登録情報記憶部１２内の当該一般ユーザ提供用画面情報にアクセスされ、携帯端末３０において閲覧が可能になる。
【００４７】
上述した（１）〜（３）の処理によれば、携帯型ライター端末を携帯端末にかざす操作のみで、ユーザごとに適した表示情報が動的に選択されて携帯端末の表示が遷移するため、ユーザの操作が簡略化され利便性の高いサービスを提供することができる。
【００４８】
具体的には、新規に携帯型ライター端末を購入したユーザがこの携帯型ライター端末を自身の携帯端末にかざせばこの携帯端末に当該システムへの会員登録用のページが表示され、登録済みのユーザが携帯型ライター端末を自身の携帯端末にかざせば自身の登録情報がこの携帯端末に表示されて情報の更新が可能になり、また、登録済みのユーザが携帯型ライター端末を自分以外の他のユーザの携帯端末にかざせば一般ユーザ提供用画面情報がこの携帯端末に表示される。
【００４９】
これにより、例えば携帯型ライター端末の保持者のプロフィール情報等を登録しておき、この保持者以外の一般ユーザの携帯端末にこの携帯型ライター端末をかざすことで、登録された保持者のプロフィール情報を一般ユーザの携帯端末に提供することができ、電子名刺として利用したり、保持者のお気に入りの情報を他人に提供したりすることができる。
【００５０】
上述した本実施形態においては、登録情報記憶部が情報提供サーバ内にある場合について説明したがこれには限定されず、当該情報提供サーバにネットワーク経由で接続された装置に登録ユーザの登録情報および一般ユーザ提供用画面情報を記憶させ、ライターＤＢ記憶部にこれらの記憶場所のアドレス情報を格納するようにしてもよい。
【００５１】
また、上記の実施形態の情報提供サーバの機能構成をプログラム化してコンピュータに組み込むことにより、当該コンピュータを情報提供サーバとして機能させる情報提供用プログラムを構築することも可能である。
【符号の説明】
【００５２】
１…情報提供システム
１０…情報提供サーバ
１１…ライターＤＢ記憶部
１２…登録情報記憶部
１３…ライター認証部
１４…表示情報送信部
１５…情報登録部
２０…携帯型ライター端末
３０…携帯端末
３１…非接触ＩＣ機能部
３２…入出力部
【図１】
2012032916.tif 000003
【図２】
2012032916.tif 000004
【図３】
2012032916.tif 000005